(57)【要約】【課題】各個人の多数の写真と経歴を、総合的に纏めて、アルバム式写真集を構成して、自分の系譜図を提供することと、そのような自分史を効率よく作成して、拡がりをもつ家族構成関係図も作成できるシステムを提供する。【解決手段】系譜と時代に沿って該当する人物画像と該当する人物の写真と業績の属性データを写真集に合成され、系譜と時代に沿って該当する人物画像は、誕生、入学、卒業、就職、結婚、子孫の誕生などを主要な自分の経歴に沿って人物、風景、家屋などの画像をアルバム形式に順列させている自分史アルバムである。【選択図】図１
2012037966.tif 000002
【特許請求の範囲】
【請求項１】
系譜と時代に沿って該当する人物画像と該当する人物の写真と業績の属性データを写真集に合成されていることを特徴とする自分史アルバム。
【請求項２】
系譜と時代に沿って該当する人物画像は、誕生、入学、卒業、就職、結婚、子孫の誕生などを主要な自分の経歴に沿って人物、風景、家屋などの画像をアルバム形式に順列させていることを特徴とする請求項１の自分史アルバム
【請求項３】
該当する人物の写真と業績の属性データは、申込書に記入した要望により、仕様を選択・決定する工程と、必要な写真の収集と略歴を作成する工程と、写真と経歴・系譜とを照合させる工程と、写真に対するコメント、エピソードを作成する工程と、家族の年表を作成する工程と、家系図を作成する工程とからなり、このうち選ばれた工程を年順に沿って構成されていることを特徴とする請求項１又は請求項２に記載の自分史アルバム
【請求項４】
当該写真集は、横２００ｍｍ〜２６０ｍｍ、縦２６０ｍｍ〜２９０ｍｍであって、構成するページ数を３０枚〜１００枚で、経歴に沿って、写真と説明文からなり、添付資料として家族年表と家系図になっていることを特徴とする請求項１、２又は３のいずれかに記載の自分史アルバム
【請求項５】
系譜と時代に沿って該当する人物画像と該当する人物の写真と業績の属性データからなる写真集の構成に当たっては、依頼者の要望事項に沿って、製作者の専門的知見を入れて構成されていることを特徴とする請求項１〜請求項４のいずれかに記載の自分史アルバム
【発明の詳細な説明】
【技術分野】
【０００１】
本発明は、本人の経歴と業績を綴って、親族の関係を含めてそれぞれの人物画とともに経歴的に表し、その中での本人の人生感を作成する自分史アルバムにした写真集に関する。
【背景技術】
【０００２】
親族を構成する人物の写真を、系統的に装着することができるようにポケットを配置させた家系図パネルが開示されている（特許文献１〜２参照）。このように、各親族の写真をパネルに装着又は貼り付けながら、各人物の属性データとしての基準人物からの親族レベル（父母、祖父母、など）、名前、生年月日を書き込むことによって作成された家系図の場合、写真、文字、親族関係を示すリンク線などの一体感がなく、美観的な問題があるとともに、パネルの物理的な大きさによる制限から何世代にも及ぶ血族や姻族を含めた家系図を作成することが困難である。
【０００３】
さらに、後から見つけ出した親族や後から加わった親族を追加することは不可能もしくは非常に困難である。
写真集に掲載する写真や絵の授受および保管が容易であり、発注者の希望通りの写真集を１冊から廉価に製作できるような写真集受注システムの提供している（特許文献３参照）。
【０００４】
各人の名前等の情報はもとより顔まで知ることが可能な家系図の作成支援システムを提供で、 家系図上に記載される氏名、生年月日、死亡年月日、出生地、顔写真、家紋、寺院等の内で、少なくとも氏名、生年月日、顔写真について各人のデーターを入力してファイル装置に記憶すると共に、当人、配偶者、子供、親、兄弟などの一族の家系図を作成する上で必要な接続データーをファイル装置に記憶し、然る後に、各人のデーターの中から家系図上で最も年長の先祖を、生年月日又は親が入力されていない人から抽出して、接続データーを基にして、各人の情報の配置と、系譜の線引きと、顔写真の配置をしている（特許文献４参照）。
【０００５】
プロ並にレイアウト化された写真集を能率良く作製することにおい、 注文票の注文シートには、連続番号が印刷された複数枚の頁表示シールが設けられている。これらの表示シールを現像済フイルムの原画の上になるようにネガシーと上に貼り付けてからＤＰＥ取扱店に提出して、得られたプリント写真を表示シールの番号に従って積み重ねて綴じて写真集を作製する方法である（特許文献５参照）。
【０００６】
所定世代にわたる人物ノードをリンク線で連結している家系テンプレートを世代数別に格納する家系テンプレート格納手段と、選択された家系テンプレートの人物ノードに該当する人物画像とその文字属性データを割り当てることにより家系画像を生成する画像処理手段と、を備えた家系図生成システムを提案されている（特許文献６参照）。
【先行技術文献】
【特許文献】
【０００７】
【特許文献１】実開平１−１００１６６号
【特許文献２】実開平１−１０８７６９号
【特許文献３】特開２００１−３３１７０４号
【特許文献４】特開２００１−０４３２７１号
【特許文献５】特開平０５−１２７３５４号
【特許文献６】特開平１０−２５０２６１号
【発明の概要】
【発明が解決しようとする課題】
【０００８】
本発明の目的は、各個人の多数の写真と経歴を、総合的に纏めて、アルバム式写真集を構成して、自分の系譜図を提供することと、そのような自分史を効率よく作成して、拡がりをもつ家族構成とその関係図（例えば家系図）も作成できるシステムを提供することである。
【課題を解決するための手段】
【０００９】
系譜と時代に沿って該当する人物画像と該当する人物の写真と業績の属性データを写真集に合成されている自分史アルバムである。
系譜と時代に沿って該当する人物画像は、誕生、入学、卒業、就職、結婚、子孫の誕生などを主要な自分の経歴に沿って人物、風景、家屋などの画像をアルバム形式に順列させている。
【００１０】
該当する人物の写真と業績の属性データは、申込書に記入した要望により、仕様を選択・決定する工程と、必要な写真の収集と略歴を作成する工程と、写真と経歴・系譜とを照合させる工程と、写真に対するコメント、エピソードを作成する工程と、家族の年表を作成する工程と、家系図を作成する工程とからなり、このうち選ばれた工程を年順に沿って構成されている。
【００１１】
当該写真集は、横２００ｍｍ〜２６０ｍｍ、縦２６０ｍｍ〜２９０ｍｍであって、構成するページ数を３０枚〜１００枚で、経歴に沿って、写真と説明文からなり、添付資料として家族年表と家系図になっている。
【００１２】
系譜と時代に沿って該当する人物画像と該当する人物の写真と業績の属性データからなる写真集の構成に当たっては、依頼者の要望事項に沿って、製作者の専門的知見を入れて構成されている自分史アルバムである。
【発明の効果】
【００１３】
１．歴史的なトピックス画像を年代別に格納しているトピックス画像が備えられ、家系画像内の人物が生きた時代のトピックス画像が読み出され、該当人物画像の近くに合成されるものである。この構成では、本人が活躍した時代がどのような時代であったかを、その時代の代表的なトピックスを写し出した画像により視覚的に解説されている。
【００１４】
２．自分本人と家族・家系中での自分人物は、寄り合った親族を写真撮影した写真に形成されている。本発明による好適な家系システムとして、写真集と系譜と家系から、将来、未来の自分、家族の姿を予測させる機能を与えることが提案される。
【００１５】
３．顧客から親族を撮影した写真を組合せることによって、簡潔に自分史としての機能を含むフォトライクな仕上がりをもった家系・系譜的写真集と図を提供することができる。
本発明によるその他の特徴及び利点は以下図面を用いた発明の実施の形態の説明により明らかになる。
【図面の簡単な説明】
【００１６】
【図１】自分史アルバムの作成工程図
【図２】自分史アルバム申込書
【図３】自分史アルバムの仕様と選択
【図４】自分史アルバムの発注者が用意するもの
【図５−１】略歴シート（見本）
【図５−２】略歴シート
【図６−１】掲載写真リスト（見本）
【図６−２】掲載写真リスト
【図７】文章書き込みシート
【図８】コメントシート
【図９】受注者の作業工程図
【図１０】家系図（見本）
【図１１】家族年表（見本）
【図１２】家族年表
【発明を実施するための形態】
【００１７】
自分史アルバムを構成する要素として、まず本人の誕生より今日までの写真を本人自身により選出し、時系列に列挙する。それぞれの写真には、キャプションやコメントを組み合わせ記載する。
【００１８】
新たに今現在の本人の姿などを撮影した。このアルバムを特徴づける重要な写真でトップページ、あるいは最終ページに掲載されるものとなる。これは専門的技術を持った受注者（プロカメラマン）が行う。構成要素の２項目として、思い出のコメントや一冊を通しての総評等の文章を記載した。
【００１９】
これは自身の過去を振り返り、自分の言葉で語るものである。この時受注者は、専門的知見から、本人の要望に沿ったアドバイスを、新規に撮る写真やコメント等の文章作りの際に行った。
【００２０】
又、オプション中の家系図は本文中の本人および、親族との関係を明確に読み取れるものであり、自身の位置を確認する手段となる。これもアルバム作りにおいて重要な項目と言える。
【００２１】
さらに、家族の年表は、昭和をスタートとし、100年を表記した。自分の家族が今日まで至った歴史とこれからの未来を書き込める空欄を設け、自分や家族自らが書き込み作り上げるものである。この年表には昭和元年より現在までの社会の主な出来事が記載してある。その年表に沿って新たに家族の歴史を書き加える事で、親、自分、子とそれぞれが生きてきた時代を符合させることができた。このものはアルバムの巻末に貼付するようにした。
【００２２】
さらに、パソコンによる画像修整は、写真の色あせ、汚れ、キズなどを、画像処理技術により、復元するものである。
【００２３】
コメントや、総評の文筆の依頼について、基本的には本人が作成するものであるが、より質の高い文章を望まれる場合には専門家（プロのコピーライター）へ依頼ができた。
【実施例１】
【００２４】
図１に示す自分史アルバムの作成行程図に沿って、自分史アルバムを作製する作業を説明する。
１．の注文工程は、広告などで、この事業を認識されるように宣伝活動を行った上で、自分史アルバムの作成を検討されている顧客（申し込み者）から問い合わせを受けて、概要説明した後、納得の上注文を受けた。
２．申込書作成の工程では、発注者顧客に図２に示すような「自分史アルバム申し込書」の必要事項について記入してもらう。とくに  事項について最低限度記入してもらった。
【００２５】
３．仕様の選択の工程では、図３に示すように顧客の希望に応じて内容、様式を選択していただき、コースの仕様を決定してもらった。
４．新規写真撮影の工程では、本アルバムの主要ページに掲載する発注者顧客の現在の状況を表現する骨子写真を専門家の受注者が撮影した。
【００２６】
５．写真の選択・コメントの作成工程では、本アルバムに掲載する本人所有の写真と、新規に撮影したものの中から希望コースの規定枚数を選択して、図５の「掲載写真リス」に記入する。さらに図６の「略歴シート」、図７の「文章書き込みシート」、図８の「コメント書き込みシート」など必要書類にも記入してもらう。その時点で受注者と発注者が内容的に協議して、アルバムのストーリーの概略を決定する。オプション中の図10「家系図」、等の原稿もこの時受注者に渡した。
【００２７】
6、レイアウトの作制の工程では、受注者が専門的知見・見解を基に、発注者より預かったすべての写真と原稿を、発注者の意向を入れて、全体の枠組みのレイアウトを組み立てた。
７．校正・確認の工程では、受注者が組み立てた内容（デザイン、位置、文章など）を縮小サイズでプリントアウトしたものを発注者に渡して、発注者が写真、文章、文字など内容的にチェックを行う。このチェックした原稿に対して発注者は受注者に連絡をして、修正箇所を説明する。再度受注者と発注者は協議して、修正箇所を確認の上受け取った。（この工程が第一回の校正に当たる）
【００２８】
８．修正の工程では、受注者が、修正箇所を基に内容を修正して、発注者の要望に沿うように本アルバムの実寸寸サイズでの内容に仕上げた。
９．最終確認・決定の工程では、受注者は、本アルバムの原寸サイズでの内容に修正されたプリントを、発注者に渡して、2回目の校正を最終として依頼する。局部的な微小修正がある場合には、その部分のみを校正、修正を行った。（第二回の校正に当たる）
【００２９】
１０．制作の工程では、発注者が最終確認・決定されたものは、直ちに印刷、製本を行う。
１１．完成・納品の工程では、印刷・製本終了した自分史アルバムは、発注者から代金の振り込み確認した後、お預かりした写真、および原稿と一緒に返却した。
【実施例２】
【００３０】
図１に示す自分史アルバムの作成行程図に沿って、年譜、家系図入り自分史アルバムを作製する作業を実施例１と同様に説明する。
１．の注文工程は、テレビ、広告などで、この事業を認識されるように宣伝活動を行った上で、自分史アルバムの作成を検討されている顧客（申し込み者）から問い合わせを受けて、概要説明した後、納得の上注文を受けた。
【００３１】
２．申込書作成の工程では、発注者顧客に図２に示すような「自分史アルバム申込書」の必要事項について記入してもらう。とくに  事項について最低限度記入してもらう。
３．仕様の選択の工程では、図３に示すように顧客の希望に応じて内容、様式を選択していただき、コースの仕様を決定してもらった。
４．新規写真撮影の工程では、本アルバムの主要ページに掲載する発注者顧客の現在の状況を表現する骨子写真を専門家の受注者が撮影した。
【００３２】
５．写真の選択・コメントの作成工程では、本アルバムに掲載する所有の写真から希望コースの規定枚数を選択して、図５の「掲載写真リス」に記入する。さらに図６の「略歴シート」、図７の「文章書き込みシート」、図８の「コメント書き込みシート」など必要書類にも記入してもらう。その時点で受注者と発注者が内容的に協議して、アルバムのストーリーの概略を決定した。
【００３３】
６．オプション中の家系図は本文中の本人および、親族との関係を明確に読み取れるものであり、自身の位置を確認する手段となる。これもアルバム作りにおいて重要な項目と言える。さらに、家族の年表は、昭和をスタートとし、100年を表記した。
【００３４】
７．自分の家族が今日まで至った歴史とこれからの未来を書き込める空欄を設け、自分や家族自らが書き込み作り上げる。この年表には昭和元年より現在までの社会の主な出来事が記載してある。その年表に新たに家族の歴史を書き加える事で、親、自分、子とそれぞれが生きてきた時代を符合させる（アルバムの巻末に貼付する）。
【００３５】
８．パソコンによる画像修整は、写真の色あせ、汚れ、キズなどを、画像処理技術により、復元するものである。コメントや、総評の文筆の依頼について、基本的には、本人が作成するものであるが、より質の高い文章を望まれる場合には専門家（プロのコピーライター）へ依頼ができた。
９．レイアウトの作制の工程では、受注者が専門的知見・見解を基に、発注者より預かったすべての写真と原稿を、発注者の意向を入れて、全体の枠組みのレイアウトを組み立てた。
１０．校正・確認の工程では、受注者が組み立てた内容（デザイン、位置、文章など）を発注者に渡して、発注者が写真、文章、文字など内容的にチェックを行う。このチェックした原稿に対して発注者は受注者に連絡をして、修正箇所を説明する。再度受注者と発注者は協議して、修正箇所を確認の上受け取った。（この工程は第一回の校正に当たる）
【００３６】
１１．修正の工程では、受注者が、修正箇所を基に内容を修正して、発注者の要望に沿うように本アルバムの原寸サイズでの内容に仕上げた。
１２．最終確認・決定の工程では、受注者は、本年譜、家系図入りアルバムの原寸サイズでの内容に修正されたプリントを、発注者に渡して、2回目の校正を最終として依頼する。局部的な微小修正がある場合には、その部分のみを校正、修正を行った。（第二回の校正に当たる）
【００３７】
１３．制作の工程では、発注者が最終確認・決定されたものは、直ちに印刷、製本を行った。
１４．完成・納品の工程では、印刷・製本終了した年譜、家系図入り自分史アルバムは、発注者から代金の振り込み確認した後、預かった写真、および原稿と一緒に返却した。
【図１】
2012037966.tif 000003
【図２】
2012037966.tif 000004
【図３】
2012037966.tif 000005
【図４】
2012037966.tif 000006
【図５−１】
2012037966.tif 000007
【図５−２】
2012037966.tif 000008
【図６−１】
2012037966.tif 000009
【図６−２】
2012037966.tif 000010
【図７】
2012037966.tif 000011
【図８】
2012037966.tif 000012
【図９】
2012037966.tif 000013
【図１０】
2012037966.tif 000014
【図１１】
2012037966.tif 000015
【図１２】
2012037966.tif 000016